【手続補正書】
【提出日】平成24年4月25日(2012.4.25)
【手続補正１】
【補正対象書類名】特許請求の範囲
【補正対象項目名】全文
【補正方法】変更
【補正の内容】
【特許請求の範囲】
【請求項１】
対向する足場用建枠の横材間に掛け渡された足場板の側縁部上に起立姿勢で取り付けられる幅木であって、幅木本体の両端部には、前記両横材の互いの対向面側に係止される一対の係止凹部を夫々有する端部枠が配設され、一方側の端部枠は、上端部が幅木本体に枢着されて、その係止凹部が他方側の端部枠の係止凹部との距離を短縮する後退方向に傾動可能な可動端部枠からなり、常時はバネの付勢力を介して幅木本体長手方向と直交する垂直姿勢に保持され、該可動端部枠をバネの付勢力に抗して後退方向に傾動させることによりその係止凹部を前記横材に係止させ、しかる後に再び前記バネの付勢力を介して幅木本体長手方向と直交する垂直姿勢に復帰することによって、幅木本体を足場板の側縁部上に起立姿勢に固定するようにした足場板用幅木。
【請求項２】
可動端部枠を幅木本体長手方向と直交する垂直姿勢にロックするロック手段が、可動端部枠と幅木本体との間に介設されている請求項１に記載の足場用幅木。
【請求項３】
ロック手段は、幅木本体を貫通して軸支される支軸部と、支軸部の先端部から幅木本体の側面に沿うように直角に突出した操作用軸部と、操作用軸部の先端部から支軸部と平行に突出し、垂直姿勢での可動端部枠側と幅木本体との重合部分に貫設したロック孔に対し係脱自在な係止用軸部と、からなるロックピン、及びこのロックピンの支軸部を常時係止用軸部がロック孔に係入するように付勢するバネによって構成される請求項２に記載の足場用幅木。
【請求項４】
各端部枠の一対の係止凹部は、足場用建枠の横材に係止された足場板のフックを挟んでその両側に係止されるようになっている請求項１〜３の何れかに記載の足場板用幅木。
【請求項５】
可動端部枠には、傾転操作するために指を挿入する指挿入穴が設けられている請求項１〜４の何れかに記載の足場板用幅木。
【請求項６】
各端部枠は内外両側板と両側板をつなぐ連結板とで形成されるコ字枠からなるもので、その連結板が幅木本体の端面に対向するように取り付けられ、両側板の夫々下端部に夫々係止凹部を有する一対の係止片が形成されている請求項１〜５の何れかに記載の足場板用幅木。
【請求項７】
各端部枠は内外両側板と両側板をつなぐ連結板とで形成されるコ字枠からなるもので、各端部枠を形成する内外側板の何れか一方に位置決め孔が複数設けられ、他方の側板には、幅木を横向きにして一方側の端部枠どうし及び他方側の端部枠どうしが重なるように複数段に積み重ねた時に前記一方の側板の位置決め孔に嵌合する位置決め突起が複数設けられている請求項請求項１〜６の何れかに記載の足場板用幅木。
【手続補正２】
【補正対象書類名】明細書
【補正対象項目名】０００７
【補正方法】変更
【補正の内容】
【０００７】
上記課題を解決するための手段を、後述する実施形態の参照符号を付して説明すると、請求項１に係る発明は、対向する足場用建枠２，２の横材３、３間に掛け渡された足場板１の側縁部上に起立姿勢で取り付けられる幅木であって、幅木本体５の両端部には、前記両横材３の互いの対向面側に係止される一対の係止凹部１０ａ，１０ａ、１１ａ，１１ａを夫々有する端部枠８，９が配設され、一方側の端部枠８は、上端部が幅木本体５に枢着されて、その係止凹部１０ａ，１０ａが他方側の端部枠９の係止凹部１１ａ，１１ａとの距離を短縮する後退方向に傾動可能な可動端部枠からなり、常時はバネ１３，２３の付勢力を介して幅木本体長手方向と直交する垂直姿勢に保持され、該可動端部枠８をバネ１３，２３の付勢力に抗して後退方向に傾動させることによりその係止凹部１０ａ，１０ａを前記横材３に係止させ、しかる後に再び前記バネ１３，２３の付勢力を介して幅木本体長手方向と直交する垂直姿勢に復帰することによって、幅木本体５を足場板１の側縁部上に起立姿勢に固定するようにしたことを特徴とする。
【手続補正３】
【補正対象書類名】明細書
【補正対象項目名】００１３
【補正方法】変更
【補正の内容】
【００１３】
請求項７は、請求項１〜６のいずれかに記載の足場板用幅木において、各端部枠８，９は内外両側板ａ，ａと両側板ａ，ａをつなぐ連結板ｂとで形成されるコ字枠からなるもので、各端部枠８，９を形成する内外側板ａ，ａの何れか一方ａに位置決め孔２０が複数設けられ、他方の側板ａには、幅木４を横向きにして一方側の端部枠８どうし及び他方側の端部枠９どうしが重なるように複数段に積み重ねた時に前記一方の側板ａの位置決め孔２０に嵌合する位置決め突起２１が複数設けられていることを特徴とする。
【手続補正４】
【補正対象書類名】明細書
【補正対象項目名】００１４
【補正方法】変更
【補正の内容】
【００１４】
上記解決手段による発明の効果を、後述する実施形態の参照符号を付して説明すると、請求項１に係る発明によれば、足場用幅木４を足場板１に取り付けるのに、他方側端部枠９の一対の係止凹部１１ａ，１１ａを一方の足場用建枠２の横材３に係止した後、反対側の可動端部枠８をバネ１３に抗し後退方向に傾動させて、可動端部枠８側の係止凹部１０ａと他方側端部枠９側の係止凹部１１ａとの距離を短縮した状態から、この可動端部枠８の一対の係止凹部１０ａ，１０ａを他方の足場用建枠２の横材３に係止することにより、簡単容易に取り付けることできると共に、各端部枠８，９の各一対の係止凹部１０ａ，１０ａ、１１ａ，１１ａが横材３に係止するから、幅木本体５を安定よく足場板１の側縁部上に固定させることができる。
【手続補正５】
【補正対象書類名】明細書
【補正対象項目名】００１５
【補正方法】変更
【補正の内容】
【００１５】
また、上記のように他方側端部枠９の係止凹部１１ａを横材３に係止させた後、一方側の可動端部枠８側の係止凹部１０ａを横材３に係止させる時、バネ１３の付勢力によって他方側端部枠９側の係止凹部１１ａも横材３に係止することになるから、該一方側の可動端部枠８側の係止凹部１０ａと他方側端部枠９側の係止凹部１１ａとが互いに反対方向に突っ張りあって、幅木本体５を足場板１の側縁部上に起立姿勢により安定よく固定させることができる。
【手続補正６】
【補正対象書類名】明細書
【補正対象項目名】００１６
【補正方法】変更
【補正の内容】
【００１６】
足場用幅木４を足場板１から取り外す時には、上記した取付時とは逆の順序で、一方側の可動端部枠８を後退方向に傾動させて、その係止凹部１０ａを横材３から外した後、他方側の端部枠９を横材３から外すようにすれば、簡単容易に取り外しを行うことができる。
【手続補正７】
【補正対象書類名】明細書
【補正対象項目名】００２２
【補正方法】変更
【補正の内容】
【００２２】
請求項７に係る発明によれば、コ字枠からなる各端部枠８，９を形成する内外側板ａ，ａの何れか一方ａに複数の位置決め孔２０を設け、他方の側板ａには、幅木４を横向きにして一方側端部枠８どうし及び他方側端部枠９どうしが重なるように複数段に積み重ねた時に前記一方の側板ａの位置決め孔２０に嵌合する位置決め突起２１を複数設けているから、幅木４をトラックなどで運搬したり、工場などに保管するような時に各幅木４を横向きにして複数段積み重ねる場合に、上下に隣り合う下段側端部枠８，９の位置決め突起２１を上段側端部枠８，９の位置決め孔２０に嵌合させることにより、幅木４を整列状態に積み重ねできると共に、荷崩れを防止することができる。